(57)【要約】【課題】便座を外した際に、便座のヒータユニットと本体内の制御部を電気的に接続する電線への負荷を防止する。【解決手段】トイレ装置本体１２とヒータユニットを内蔵する便座１５との間に配設される配線コード２０に便座１５を外した際のリード線２４０への負荷を防止するテンションメンバー２５０を設けている。このことでトイレ装置本体１２から便座１５を外したときでも便座１５の自重をテンションメンバー２５０で受けることができ、リード線２４０が断線することがない。【選択図】　　図５
2004081827.tif 000002
【特許請求の範囲】
【請求項１】
便器上に載置固定された本体と、前記本体から突出する支持軸に取外し可能かつ回動自在に枢着される便座と、前記便座に設けられたヒータユニットと、本体内に設けられたヒータユニットを制御する制御部と、前記ヒータユニットと前記制御部を電気的に接続するリード線及び該リード線を包含可能な保護チューブとからなる配線コードとを備えたトイレ装置において、前記配線コードに前記便座を外した際の前記リード線への負荷を防止するテンションメンバーを設けたことを特徴とするトイレ装置。
【請求項２】
請求項１記載のトイレ装置において、前記配線コードの取り出しを前記支持軸内若しくは前記支持軸近傍としたことを特徴とするトイレ装置。
【請求項３】
請求項２記載のトイレ装置において、前記配線コードを収納する収納部を前記便座の後端に設けたことを特徴とするトイレ装置。
【請求項４】
請求項３記載のトイレ装置において、前記コード収納部には、前記便座の袖部と前記本体の一方の端部との間にある弛んだ前記配線コードを、前記コード収納部内に引っ張り込むコード引込み手段が設けられていることを特徴とするトイレ装置。
【請求項５】
請求項４記載のトイレ装置において、前記コード引込み手段は、前記配線コードが挿通するガイドボックスと、該ガイドボックス内に配置されて前記配線コードを囲繞し前記コード収納部の基端側で支持されるコイルスプリングと、前記コイルスプリング内を挿通する前記配線コードに、該配線コードが自由状態の前記コイルスプリングの先側から出た位置で固定されるストッパ部材とを有することを特徴とするトイレ装置。
【請求項６】
請求項１乃至請求項５のいずれか１項に記載のトイレ装置において、前記テンションメンバーはパラ系全芳香族ポリアミド繊維で構成したことを特徴とするトイレ装置。
【請求項７】
請求項１乃至請求項６のいずれか１項に記載のトイレ装置において、前記配線コードの両端に固定座を設け、該固定座に前記テンションメンバーの両端を固定したことを特徴とするトイレ装置。
【請求項８】
請求項７記載のトイレ装置において、前記固定座は外周にリード線を挿通する溝を設けたことを特徴とするトイレ装置。
【請求項９】
請求項１乃至請求項８のいずれか１項に記載のトイレ装置において、前記ヒータユニットをヒータと温度を検知するサーミスタとで構成し、前記リード線はヒータへ電力を供給する電力線とサーミスタからの信号を伝達する信号線とで構成し、前記電力線よりも前記信号線の引張強度を弱く設定したことを特徴とするトイレ装置。
【請求項１０】
請求項９記載のトイレ装置において、前記電力線をブロンズ線、信号線を銅線により構成したことを特徴とするトイレ装置。
【請求項１１】
請求項１乃至請求項１０のいずれか１項に記載のトイレ装置において、前記配線コード外方にラインを設けたことを特徴とするトイレ装置。
【請求項１２】
請求項４乃至請求項１１のいずれか１項に記載のトイレ装置において、前記便座の袖部と前記本体の一方の端部との間にある弛んだ前記配線コードを便座袖部内に引込む手段にコードリールを用いた巻取り手段を有することを特徴とするトイレ装置。
【請求項１３】
請求項１２記載のトイレ装置において、前記巻き取り手段と前記ヒータ及びサーミスタとの通電手段をブラシ接点式にしたことを特徴とするトイレ装置。
【請求項１４】
請求項１２記載のトイレ装置において、前記配線コードの端部にストッパ部材を設けことを特徴とするトイレ装置
【請求項１５】
請求項１４記載のトイレ装置において、前記ストッパ部材に、前記配線コードを前記コード収納部内に引込むための引込み用コードを固定したことを特徴とするトイレ装置。
【請求項１６】
請求項１５記載のトイレ装置において、が前記引込み用コードを前記コードリールに巻きつけることを特徴としたトイレ装置。
【発明の詳細な説明】
【０００１】
【発明の属する技術分野】
本発明は、掃除等の便宜のために便座を取外すことが可能なトイレ装置に関する。
【０００２】
【従来の技術】
図８に従来のトイレ装置６０を示すが、便器６１の後部に局部洗浄装置、洗浄用の水を流すバルブ及び全体の制御装置を収納した機能部６２が設けられ、機能部６２の手前側に設けられた軸受ハウジング６３に、便座６４と便蓋６５が開閉可能に取付けられている。
便座６４には冬季の暖房用のために電熱ヒータが設けられていると共に、内部に電熱ヒータによって加熱された便座６４の温度を測定する温度センサー（サーミスタ）が設けられ、これらの配線コード６６が便座６４と機能部６２との間に弛みを設けて配線されている。なお、図８において、６７は電源コードを、６８はアース線を、６９は水の給水ホースを示す。（例えば、特許文献１参照）
【０００３】
【特許文献１】
特開２００２−１９４７９５号公報（第１０−１３項、第１図）
【０００４】
【発明が解決しようとする課題】
しかしながら、従来のトイレ装置では、便座６４を外した際に、配線コード６６に便座６４を引き出すときの負荷や便座６４をぶら下げたときの自重がかかってしまうという課題を有していた。
また、従来のトイレ装置６０においては、便座６４と機能部６２を連結する配線コード６６が外部に露出しているので、外観が悪いという問題もあった。そこで、便座からの配線コードを無くす試みが種々提案され、例えば、便座の基端側を回動可能に支持している支持軸を通して配線することもできるが、掃除等の場合に便座を取外すことが困難であるという問題があった。
本発明はかかる事情に鑑みてなされたもので、便座を取外すことも容易に可能で、しかも、便座の自重によるリード線の断線等の不具合を確実に防止できることを目的とする。さらに、便座への配線コードが外部に露出しないトイレ装置を提案することを目的とする。
【０００５】
【課題を解決するための手段及び作用、効果】
前記目的に沿う第１の発明に係るトイレ装置は、便器上に載置固定された本体と、前記本体から突出する支持軸に取外し可能かつ回動自在に枢着される便座と、前記便座に設けられたヒータユニットと、本体内に設けられたヒータユニットを制御する制御部と、前記ヒータユニットと前記制御部を電気的に接続するリード線及び該リード線を包含可能な保護チューブとからなる配線コードとを備えたトイレ装置において、前記配線コードに前記便座を外した際の前記リード線への負荷を防止するテンションメンバーを設けている。このことで便座を外したときでも便座の自重をテンションメンバーで受けることができ、リード線が断線することがない。
【０００６】
また、第２の発明に係るトイレ装置は、第１の発明に係るトイレ装置において、前記配線コードの取り出しを前記支持軸内若しくは前記支持軸近傍とした。
【０００７】
また、第３の発明に係るトイレ装置は、第２の発明に係るトイレ装置において、前記配線コードを収納する収納部を前記便座の後端袖部に設けた。
【０００８】
ここで、第４の発明に係るトイレ装置は、第３の発明に係るトイレ装置において前記コード収納部には、前記一方の袖部と前記本体の一方の端部との間にある弛んだ前記配線コードを、前記コード収納部内に引っ張り込むコード引込み手段が設けられている。これによって、配線コードの弛み部分が自動的にコード収納部に納まる。
【０００９】
更に、第５の発明に係るトイレ装置は、第４の発明に係るトイレ装置において、前記コード引込み手段は、前記配線コードが挿通するガイドボックスと、該ガイドボックス内に配置されて前記配線コードを囲繞し前記コード収納部の基端側で支持されるコイルスプリングと、前記コイルスプリング内を挿通する前記配線コードに、該配線コードが自由状態の前記コイルスプリングの先側から出た位置で固定されるストッパ部材とを有する。これによって、緩んだ配線コードはコイルスプリングによってコード収納部内に引き込まれ、便座を支持軸から取外した場合には、コイルスプリングが縮んで配線コードを引き出すことができる。
【００１０】
更に、第６の発明に係るトイレ装置は、第１乃至第５の発明に係るトイレ装置において、前記テンションメンバーはパラ系全芳香族ポリアミド繊維で構成した。これによって、配線コード自体の引張強度を確保することができる。
【００１１】
また、第７の発明に係るトイレ装置は、第１乃至第６の発明に係るトイレ装置において、前記配線コードの両端に固定座を設け、該固定座に前記テンションメンバーの両端を固定した。
【００１２】
また、第８の発明に係るトイレ装置は、第７の発明に係るトイレ装置において、前記固定座は中央にテンションメンバー貫通孔を備え、外周にリード線を挿通する溝を設けた。これによりリード線及びテンションメンバーの組み付けが容易となる。
【００１３】
また、第９の発明に係るトイレ装置は、第１乃至第８の発明に係るトイレ装置において、前記ヒータユニットをヒータと温度を検知するサーミスタとで構成し、前記リード線はヒータへ電力を供給する電力線とサーミスタからの信号を伝達する信号線とで構成し、前記電力線よりも前記信号線の引張強度を弱く設定した。これにより、先に信号線が断線するので、制御部で断線を検知してヒータ通電を停止することができるので感電等の恐れがない。
【００１４】
また、第１０の発明に係るトイレ装置は、第１０の発明に係るトイレ装置において、前記電力線をブロンズ線、信号線を銅線により構成したので、電力線及び信号線を同一の線径としても確実に信号線の引張強度を弱くすることができる。
【００１５】
また、第１１の発明に係るトイレ装置は、第１１の発明に係るトイレ装置において、前記配線コード外方にラインを設けたので、配線コードの捩れを目視することができ、便座を支持軸に取り付ける際の配線コードの捩れに注意して取り付けさせることができ、捩れによる断線等を抑制することができる。
【００１６】
また、第１２の発明に係るトイレ装置は、請求項１乃至請求項１１のいずれか１項に記載のトイレ装置において、前記配線コード引込み手段にコードリールを用いた巻取り手段を有する。これにより清掃時に便座を外した際、配線コードの引出し代を長くすることができ、清掃性が向上する。
【００１７】
また、第１３の発明に係るトイレ装置は、前記配線コードの通電手段をブラシ接点式にした。これによりコードリールが回転した場合においても前記配線コードに通電が可能になる。
【００１８】
また、第１４、１５の発明に係るトイレ装置は、前記配線コードの便座側にストッパ部材を設け前記ストッパ部材に、前記配線コードを前記コード収納部内に引込むための引込み用コードを固定した。
【００１９】
また、第１６の発明に係るトイレ装置は、前記コード引込み用コードを前記コードリールに巻きつける。これにより配線コードに巻き取るための強度をもたせる必要がなくなり、コンパクトになる。
【００２０】
【発明の実施の形態】
続いて、図面を参照しつつ、本発明を具体化した実施の形態につき説明し、本発明の理解に供する。
ここに、図１は本発明の第１の実施の形態に係るトイレ装置の一部拡大斜視図、図２、図３は同一部切欠き側面図、図４は同全体斜視図、図５（Ａ）、（Ｂ）は本発明の第２の実施の形態に係るトイレ装置の説明図である。
【００２１】
図１〜図４に示すように、本発明の第１の実施の形態に係るトイレ装置１０は、陶器製の便器１１とその後ろ側上部に設けられた機能部収納ケース（本体）１２とを有している。機能部収納ケース１２の前側には軸受ハウジング１３が設けられ、軸受ハウジング１３から左右に突出する支持軸１４に便座１５の左右の袖部１６が軸着されている。左右の支持軸１４には、それぞれ便座１５及び便蓋１７の開閉用のモータを有する開閉駆動手段（図示せず）が設けられ、この開閉駆動手段は軸受ハウジング１３に収納されている。便座１５内に保温用のヒータと温度センサーが内蔵され、便座１５を常時所定温度に加熱している。なお、図１〜図３においては便蓋１７は取外されている。
【００２２】
図１に示すように、支持軸１４の先部に便蓋１７に掛合する断面非円形の掛合部１８が設けられ、この掛合部１８に噛合して便蓋１７の開閉が行われているようになっている。
掛合部１８の内側部分の支持軸１４には便座１５の基部側（後端）に設けられた袖部１６が取付けられ、図１に示す側の袖部１６（トイレ装置１０を正面視して左側の袖部をいう、以下同じ）の基部には支持軸１４に一方向から装着される断面Ｕ字状の切欠き１９が設けられている。この切欠き１９は便座１５を閉じた場合及び開いた場合でも、便座１５が支持軸１４から外れないように下側又は斜め下側方向に向いている。
【００２３】
袖部１６には便座１５内に配置されているヒータ及び温度センサーに接続されている配線コード２０が挿通され、この配線コード２０は軸受ハウジング１３の側壁２１に設けられている挿通孔２２（コード接続部の一例）を通って軸受ハウジング１３内に入り、機能部収納ケース１２内に配置されている図示しない制御装置に連結されている。袖部１６から便座１５内にかけて（すなわち、便座１５の後端に）、配線コード２０が通過するコード収納部２３が設けられ、コード収納部２３の基部側には、コード引込み手段２４が設けられている。
このコード収納部２３には大気と連通する孔を設け、配線コード２０が出没する孔からの進入水を逃がすように構成している。
【００２４】
コード引込み手段２４は、配線コード２０が挿通する断面矩形のガイドボックス２５と、ガイドボックス２５内に配置されて配線コード２０を中心にして囲むコイルスプリング２６と、コイルスプリング２６内を挿通する配線コード２０に、配線コード２０が自由状態のコイルスプリング２６の先側から出た位置で固定されるストッパ部材２７とを有している。コイルスプリング２６の基端はコード収納部２３の一部であるガイドボックス２５の基端で支持されている。従って、例えば、便座１５を取外す場合等において、配線コード２０を袖部１６から引き出そうとすると、配線コード２０の先側に設けられているストッパ部材２７がコイルスプング２６を縮めることになる。又は取外した便座１５を所定位置に固定すると、配線コード２０が自由状態になるので、コイルスプリング２６が伸びて自動的に配線コード２０を袖部１６内に引込む。引き込まれた配線コード２０はコード引込み手段２４の更に奥側のコード収納部２３に配置される。コイルスプリング２６の強さは、強すぎると配線コード２０に無理な荷重がかかるので、弛んだ配線コード２０を引き上げるのに十分な力を有すればよい。なお、２８は配線コード２０のガイドである。
【００２５】
本実施の形態に係るトイレ装置１０は以上のような構成となっているので、図３に示すように、便座１５の袖部１６を支持軸１４から取外すと、袖部１６内に収納されている配線コード２０が引っ張られる。このとき、配線コード２０の所定位置にはストッパ部材２７が設けられているので、コイルスプリング２６を押し下げて配線コード２０が袖部１６から引き出される。これによって、便座１５がある程度自由になるので、例えば、機能部収納ケース１２等の上において、便器１１や軸受ハウジング１３を清掃することができる。
図に示すように、便座１５を元の位置に戻せば配線コード２０がコイルスプリング２６によって引き込まれて、袖部１６と軸受ハウジング１３の側壁２１との間には弛んだ配線コード２０はないことになる。
【００２６】
次に、図５乃至図７を用いて配線コード２０の詳細を説明する。図示するように配線コード２０はキャブタイヤコード２１０と両端に固定されるコードブッシュ２２０とからなり、キャブタイヤコード２１０は最外郭の半硬質外層、シース、及び絶縁体で被覆された４本のリード線２４０（２本は便座内に設けられたヒータへ電力を供給するための電力線、２本は便座内に設けられたサーミスタで検知される検知温度を伝達するための信号線）及びテンションメンバーとしてのパラ系全芳香族ポリアミド繊維（ケブラー：登録商標）からなる２本の紐２５０とで構成される。なお、半硬質外層の表面にはキャブタイヤコード２１０の長さ方向に１本のラインが引かれており、キャブタイヤコード２１０の捩れを目視することができるようになっている。
【００２７】
図６に示すように固定座２３０の外周には４つの溝２３１が設けてある。
図７に示す手順で配線コード２０は組み立てられる。なお、固定座２３０と紐との固定は、固定座２３０に設けられた溝２３１を通してリード線２４０及び紐２５０を引き出し、対角となる溝２３１から取り出された紐２５０同士をスクエアノットという結び方で固定座２３０に締結される。なおスクエアノットを２回施すことで固定座２３０にしっかりと固定することができる。
【００２８】
図５乃至図７には配線コード２０の一端のみを示したが他端も同様の構成である。
【００２９】
なお、信号線を銅線とし、電力線をブロンズ線とすることでテンションメンバー２５０が破壊されたとしても、次に断線するのは引張強度が弱い信号線となり、制御回路で断線を検知して電力線への電力供給を遮断することができるので感電等の恐れがない。
【００３０】
図９、図１０、図１１に示すように第１２、第１３の発明に係るトイレ装置はコード引き込み手段として便座１５底面にコードリール３００を配置した。コードリール３００は便座１５底面に形成された回転軸３１０に回転自在に同軸配置されたドラム３２０と、回転軸３１０とドラム３２０に固定された渦巻きばね３３０から構成されている。配線コード２０の４本のリード線２４０はドラム３２０に固定されているブラシ３４０に配線されている。またブラシ３４０は前記回転軸３１０と同軸に便座１５に固定された基板３５０のパターン３６０と接触しており、基板３５０はヒータとサーミスタに配線されている。
【００３１】
例えば、便座１５を取外す場合等において、配線コード２０を袖部１６から引き出そうとすると、ドラム３２０が回転してドラム３２０と回転軸３１０に固定されている渦巻きばね３３０が圧縮されドラム３２０に巻きつけられた配線コード２０が引き出される。これによって、便座１５が自由になるので、例えば、機能部収納ケース１２等の上において、便器１１や軸受ハウジング１３を清掃することができる。
便座１５を元の位置に戻せば配線コード２０が圧縮された渦巻きばね３３０によって引き込まれて、袖部１６と軸受ハウジング１３の側壁２１との間には弛んだ配線コード２０はないことになる。また配線コード２０はブラシ３４０に配線されているためコードリール２００が回転した場合でもヒータと温度検出のためのサーミスタに通電可能となる。
【００３２】
また、図１２、図１３に示すように第１４、第１５、第１６の発明に係るトイレ装置は配線コード２０端部にストッパ３７０を固定して、ストッパ３７０に配線コード２０の引き込み用コード３８０の片側端面を固定している。前記引き込み用コード３８０の反対側端面は回転ローラ３９０を介してドラム３２０に固定されている。また、配線コード２０の４本のリード線２４０は配線コードの引き出し代より多くの弛みを持たせている。これにより例えば、便座１５を取外す場合等において、配線コード２０を袖部１６から引き出そうとすると、ドラム３２０が回転してドラム３２０と回転軸３１０に固定されている渦巻きばね３３０が圧縮されドラムに巻きつけられた引き込み用コード３８０が弛み、配線コード２０が引き出される。このとき配線コード２０に固定されているストッパ３７０がコード収納部２３にあたりこれ以上引き出されることはなく配線コード２０内の４本のリード線２４０はこの引き出し代より多くの弛みを持たせている為、リード線に力が加わることはない。便座１５を元の位置に戻せば配線コード２０のスットパに固定された引き込みコード３８０が圧縮された渦巻きばね３２０によってドラムに巻きつけられることで配線コード２０引き込まれて、袖部１６と軸受ハウジング１３の側壁２１との間には弛んだ配線コード２０はないことになる。
【図面の簡単な説明】
【図１】本発明の第１の実施の形態に係るトイレ装置の一部拡大斜視図である。
【図２】同一部切欠き側面図である。
【図３】同一部切欠き側面図である。
【図４】同全体斜視図である。
【図５】本発明の配線コード２０に用いるキャブタイヤコード２１０の側面図である。
【図６】本発明の配線コード２０を構成するキャブタイヤコード２１０、コードブッシュ２２０、及び固定座２３０の側面図である。
【図７】本発明の配線コード２０の組み立て手順を説明する側面図である。
【図８】従来例に係るトイレ装置の斜視図である。
【図９】本発明のコードリールを用いたコード引き込み手段の便座内の断面図である。
【図１０】本発明のブラシ式通電手段の側面図である。
【図１１】本発明のヒータとサーミスタ配線基板図である。
【図１２】本発明のストッパ構造図である。
【図１３】本発明の引込み用コードを用いたコード引き込み手段の便座内の断面図である。
【図１４】本発明の引込み用コードを用いたコード引き込み手段の側面図である。
【符号の説明】
１０：トイレ装置、１１：便器、１２：機能部収納ケース（本体）、１３：軸受ハウジング、１４：支持軸、１５：便座、１６：袖部、１７：便蓋、１８：掛合部、１９：切欠き、２０：配線コード、２１：側壁、２２：挿通孔、２３：コード収納部、２４：コード引込み手段、２５：ガイドボックス、２６：コイルスプリング、２７：ストッパ部材、２８：ガイド、２１０：キャブタイヤコード、２２０：コードブッシュ、２３０：固定座、２４０：リード線、２５０：紐（テンションメンバー）、３００：コードリール、３１０：回転軸、３２０：ドラム、３３０：渦巻きばね、３４０：ブラシ、３５０：基板、３６０：パターン、
３７０：ストッパ、３８０：引き込み用コード、３９０：ローラ
【図１】
2004081827.tif 000003
【図２】
2004081827.tif 000004
【図３】
2004081827.tif 000005
【図４】
2004081827.tif 000006
【図５】
2004081827.tif 000007
【図６】
2004081827.tif 000008
【図７】
2004081827.tif 000009
【図８】
2004081827.tif 000010
【図９】
2004081827.tif 000011
【図１０】
2004081827.tif 000012
【図１１】
2004081827.tif 000013
【図１２】
2004081827.tif 000014
【図１３】
2004081827.tif 000015
【図１４】
2004081827.tif 000016